(57)【要約】【課題】本発明は、Ｗｅｂページの画像を取得し表示する表示手段と、画像のリンク先を切替えるスクリプト及びその処理手段とを具備して、Ｗｅｂページのデータ転送並びに表示処理を効率よく実行できるようにした、Ｗｅｂページ表示装置、Ｗｅｂページ画像表示方法、ネットワークシステム及び端末装置を提供することを課題とする。【解決手段】端末装置２０に設けられた演算装置２１は、表示装置２４に初期画面表示処理で表示した画像切り替えボタンのいずれかが操作されると、スクリプト（ＳＣ）に従うリンク先への画像表示切り替え処理を実行して、現在表示されている画像をリンク先の画像に切り替える。【選択図】　　図２
2004062423.tif 000002
【特許請求の範囲】
【請求項１】
ウェブページの画像を表示する手段と、
前記表示された画像のリンク先への切替え処理を実行するスクリプトと
を具備したことを特徴とするウェブページ表示装置。
【請求項２】
複数のリンク先から任意のリンク先を指定する操作手段を有し、前記操作手段が操作されたとき前記スクリプトにより前記操作で指定されたリンク先への画像切り替え処理を実行することを特徴とする請求項１記載のウェブページ表示装置。
【請求項３】
前記ウェブページの初期画面データとして、当該初期画面の画像データと、表示された画像のリンク先を指定する切り替えボタンの表示データとを取得し、当該取得した画像データと切り替えボタンの表示データとをもとにウェブページの初期画像と切り替えボタンを表示する手段を具備して、前記切り替えボタンが操作された際に前記スクリプト処理を実行し、リンク先への画像表示切り替えを行うことを特徴とする請求項１記載のウェブページ表示装置。
【請求項４】
前記切り替えボタンは、少なくとも、前、後、左、右のいずれかのリンク先を指定する１個または複数個のボタンにより構成される請求項３記載のウェブページ表示装置。
【請求項５】
前記切り替えボタンは、前記初期およびリンク先の画像の表示エリア周部に設けられる請求項３または４記載のウェブページ表示装置。
【請求項６】
前記ウェブページの画像データをリンク付けした複数の画像を単位に取得する手段を有して、前記切り替えボタンが操作された際に、前記スクリプト処理により、前記取得した複数の画像データをリンク先への切り替え対象に含んで、リンク先への画像の表示切り替えを行うことを特徴とする請求項３記載のウェブページ表示装置。
【請求項７】
ウェブページの画像表示方法に於いて、
表示された画像のリンク先への切替え処理を実行するスクリプトを有して、
リンク先ページへの画像切り替えを前記スクリプトの処理により行うことを特徴としたウェブページの画像表示方法。
【請求項８】
前記ウェブページの初期の画面データとして、当該初期画面の画像データと、表示された画像のリンク先を指定する切り替えボタンの表示データとを取得するステップと、
前記ステップで取得した画像データと切り替えボタンの表示データとをもとにウェブページの初期画像と切り替えボタンを表示するステップとを有し、
前記切り替えボタンが操作された際に、前記スクリプトの処理を実行して、リンク先の画像のみの表示切り替えを行うことを特徴とする請求項７記載のウェブページの画像表示方法。
【請求項９】
クライアント側の機器がサーバ側の機器よりウェブページのデータを取得してウェブページの画像を表示するネットワークシステムに於いて、
前記クライアント側の機器に、表示されたウェブページのリンク先への画像表示切り替えを行うスクリプトを具備し、
前記クライアント側の機器が、前記スクリプトの処理により前記サーバ側の機器よりリンク先の画像データを取得し表示することを特徴とするネットワークシステム。
【請求項１０】
前記サーバ側の機器は、前記ウェブページのデータとして、ウェブページの画像データのみを管理し、リンク先のページ指定要求に従う画像データを前記クライアント側の機器に送出する手段を具備する請求項９記載のネットワークシステム。
【請求項１１】
前記サーバ側の機器は、前記ウェブページの画像データと、当該画像データのリンク先を指定する操作画面のデータとを個々に管理し、ウェブページの初期画面のデータ転送時に、当該初期画面の画像データと、前記操作画面のデータとを前記ウェブページ要求元のクライアント側の機器に送出し、前記初期画面を除くウェブページのデータ転送時に、リンク先の画像データのみを前記ウェブページ要求元のクライアント側の機器に送出する手段を具備する請求項９記載のネットワークシステム。
【請求項１２】
前記クライアント側の機器は、前記サーバ側の機器より取得した前記画像データと操作画面のデータとをもとに、初期画像とリンク先指定ボタンとを初期画面として表示し、前記リンク先指定ボタンが操作された際に、前記スクリプトの処理により、前記サーバより前記リンク先指定ボタンの操作に従うリンク先の画像データを取得して、リンク先への画像表示切替えを行うことを特徴とする請求項１１記載のネットワークシステム。
【請求項１３】
ネットワークを介してウェブページのデータを取得し、ウェブページの画像を表示する端末装置に於いて、
前記表示された画像のリンク先を指定する操作画面のデータを取得する第１の手段と、
前記第１の手段で取得した操作画面のデータをもとに操作画面を表示する第２の手段と、
前記第２の手段で表示した操作画面が操作された際に、当該操作に従うリンク先の画像データを取得し、前記表示された画像のリンク先への切替え処理を実行するスクリプトと
を具備したことを特徴とする端末装置。
【請求項１４】
リンク付けされた画像のデータをネットワークを介し１画像単位で取得する第１の手段と、
前記第１の手段で取得したデータをもとに画像を表示する第２の手段と、
前記第２の手段で表示した画像のリンク先を指定する操作画面のデータを取得する第３の手段と、
前記第３の手段で取得した操作画面のデータをもとに操作画面を表示する第４の手段と、
前記第４の手段で表示した操作画面の操作に従う画像のリンク先を判定する第５の手段と、
前記第５の手段の判定結果を前記第１の手段に反映し、前記第２の手段で表示される画像を切り替える第６の手段と
を具備したことを特徴とする端末装置。
【請求項１５】
リンク付けされた画像のデータを複数画像を単位にネットワークを介して取得する第１の手段と、
前記第１の手段で取得したデータをもとに１画像単位で画像を表示する第２の手段と、
前記第２の手段で表示した画像のリンク先を指定する操作画面のデータを取得する第３の手段と、
前記第３の手段で取得した操作画面のデータをもとに操作画面を表示する第４の手段と、
前記第４の手段で表示した操作画面の操作に従う画像のリンク先を判定する第５の手段と、
前記第５の手段で判定したリンク先が前記第１の手段で既に取得した画像のデータであるか否かを判定する第７の手段と、
前記第７の手段で既に取得した画像のデータであることを判定した際に、当該判定結果を前記第２の手段に反映し、前記第７の手段で既に取得した画像のデータでないことを判定した際に、当該判定結果を前記第１の手段に反映して、前記第２の手段で表示される画像を切り替える第８の手段と
を具備したことを特徴とする端末装置。
【請求項１６】
前記操作画面は、少なくとも、前、後、左、右のいずれかのリンク先を指定する１個または複数個のボタンにより構成される請求項１３または１４または１５記載の端末装置。
【請求項１７】
前記操作画面は、前記初期およびリンク先の画像が表示される表示エリアの周辺に表示される請求項１３または１４または１５記載の端末装置。
【発明の詳細な説明】
【０００１】
【発明の属する技術分野】
本発明は、インターネット若しくはイントラネット等のネットワークを介してウェブページの画像を取得し表示する際に適用して好適な、ウェブページ表示装置、ウェブページ画像表示方法、ネットワークシステム、及び端末装置に関する。
【０００２】
【従来の技術】
従来、インターネット若しくはイントラネット等のネットワークを介してウェブ（Ｗｅｂ）ページの画像を取得し表示するシステムに於いて、画面に表示されているウェブページを切替える場合は、ウェブページのそれぞれに、切替えボタン、若しくはユーザによる切替え動作が認識できる部分を設ける。この切替えボタンには、次に表示するページのリンク先が設定（定義）されており、押下された切替えボタンのリンク先を表示することで画面の切替えを行っている。
【０００３】
しかしながら、切替えボタンに設定できるリンク先は１つであり、次ページの切替えボタンと、前ページの切替えボタンとは、画面上のイメージは同一であっても、リンク先が異なるために、別々のウェブページデータとして作成する必要がある。従って、上記したウェブページの構成に於いては、ページ数の増加に伴ってデータ量が増加し、ページ数が多数となる場合、データ量が著しく多くなるという問題があった。またページを切替える度に、サーバからネットワーク経由でリンク先のページデータを取得する必要があり、ネットワーク上のデータ転送量が増大するとともに、ページ表示処理に多くの処理時間を必要とし、経済性並びに機能性の面でも問題があった。
【０００４】
【発明が解決しようとする課題】
上述したように、従来では、ウェブページの表示処理に於いて、ページ数の増加に伴ってデータ量が増加し、ページ数が多数となる場合、データ量が著しく多くなるという問題があった。またページを切替える度に、サーバからネットワーク経由でリンク先のページデータを取得する必要があり、ネットワーク上のデータ転送量が増大するとともに、ページ表示処理に多くの処理時間を必要とし、経済性並びに機能性の面でも問題があった。
【０００５】
本発明は上記実情に鑑みなされたもので、ウェブページのデータ転送並びに表示処理を効率よく実行することのできるウェブページ表示装置、ウェブページ画像表示方法、ネットワークシステム及び端末装置を提供することを目的とする。
【０００６】
【課題を解決するための手段】
本発明は、ウェブページの画像を取得し表示する表示手段と、画像のリンク先を切替えるスクリプト（Ｓｃｒｉｐｔ）及びその処理手段とを具備したことを特徴とする。このように、画像のリンク先を切替えるスクリプトの処理機能を新たに付加することで、リンク先の切替えでは、画像のデータのみを読込んで表示し、ページ全体の再読込みをしないため、サーバからのデータ転送待ちが無くなる。また、ウェブページを構成する画像の数が多くなっても、ページ全体（画像データ以外の共通部分）は１ページで済むため、データ量を抑えることができる。
【０００７】
即ち、本発明は、ウェブページの画像を表示する手段と、前記表示された画像のリンク先への切替え処理を実行するスクリプトとを具備したウェブページ表示装置を特徴とする。
【０００８】
また、前記ウェブページ表示装置に於いて、複数のリンク先から任意のリンク先を指定する操作手段を有し、前記操作手段が操作されたとき前記スクリプトにより前記操作で指定されたリンク先への画像切り替え処理を実行することを特徴とする。
【０００９】
また、前記ウェブページ表示装置に於いて、前記ウェブページの初期画面データとして、当該初期画面の画像データと、表示された画像のリンク先を指定する切り替えボタンの表示データとを取得し、当該取得した画像データと切り替えボタンの表示データとをもとにウェブページの初期画像と切り替えボタンを表示する手段を具備して、前記切り替えボタンが操作された際に前記スクリプト処理を実行し、リンク先への画像表示切り替えを行うことを特徴とする。
【００１０】
また、前記ウェブページ表示装置に於いて、前記ウェブページの画像データを少なくとも１ページのリンク先を含む複数のページ単位で取得する手段を有して、前記切り替えボタンが操作された際に、前記スクリプト処理により、前記複数のページ単位で取得した画像データをリンク先への画像表示切り替え対象に含んで、リンク先への画像表示切り替えを行うことを特徴とする。
【００１１】
また、本発明は、ウェブページの画像表示方法に於いて、表示された画像のリンク先への切替え処理を実行するスクリプトを有して、リンク先ページへの画像切り替えを前記スクリプトの処理により行うことを特徴とする。
【００１２】
また、前記ウェブページの画像表示方法に於いて、前記ウェブページの初期の画面データとして、当該初期画面の画像データと、表示された画像のリンク先を指定する切り替えボタンの表示データとを取得するステップと、前記ステップで取得した画像データと切り替えボタンの表示データとをもとにウェブページの初期画像と切り替えボタンを表示するステップとを有し、前記切り替えボタンが操作された際に、前記スクリプトの処理を実行して、リンク先の画像のみの表示切り替えを行うことを特徴とする。
【００１３】
また、本発明は、クライアント側の機器がサーバ側の機器よりウェブページのデータを取得してウェブページの画像を表示するネットワークシステムに於いて、前記クライアント側の機器に、表示されたウェブページのリンク先への画像表示切り替えを行うスクリプトを具備し、前記クライアント側の機器が、前記スクリプトの処理により前記サーバ側の機器よりリンク先の画像データを取得し表示することを特徴とする。
【００１４】
また、前記ネットワークシステムに於いて、前記サーバ側の機器は、前記ウェブページの画像データと、当該画像データのリンク先を指定する操作画面のデータとを個々に管理し、ウェブページの初期画面のデータ転送時に、当該初期画面の画像データと、前記操作画面のデータとを前記ウェブページ要求元のクライアント側の機器に送出し、前記初期画面を除くウェブページのデータ転送時に、リンク先の画像データのみを前記ウェブページ要求元のクライアント側の機器に送出する手段を具備することを特徴とする。
【００１５】
また、前記ネットワークシステムに於いて、前記クライアント側の機器は、前記サーバ側の機器より取得した前記画像データと操作画面のデータとをもとに、初期画像とリンク先指定ボタンとを初期画面として表示し、前記リンク先指定ボタンが操作された際に、前記スクリプトの処理により、前記サーバより前記リンク先指定ボタンの操作に従うリンク先の画像データを取得して、リンク先への画像表示切替えを行うことを特徴とする。
【００１６】
また、本発明は、ネットワークを介してウェブページのデータを取得し、ウェブページの画像を表示する端末装置に於いて、前記表示された画像のリンク先を指定する操作画面のデータを取得する第１の手段と、前記第１の手段で取得した操作画面のデータをもとに操作画面を表示する第２の手段と、前記第２の手段で表示した操作画面が操作された際に、当該操作に従うリンク先の画像データを取得し、前記表示された画像のリンク先への切替え処理を実行するスクリプトとを具備したことを特徴とする。
【００１７】
また、本発明は、リンク付けされた画像のデータをネットワークを介し１画像単位で取得する第１の手段と、前記第１の手段で取得したデータをもとに画像を表示する第２の手段と、前記第２の手段で表示した画像のリンク先を指定する操作画面のデータを取得する第３の手段と、前記第３の手段で取得した操作画面のデータをもとに操作画面を表示する第４の手段と、前記第４の手段で表示した操作画面の操作に従う画像のリンク先を判定する第５の手段と、前記第５の手段の判定結果を前記第１の手段に反映し、前記第２の手段で表示される画像を切り替える第６の手段とを具備した端末装置を特徴とする。
【００１８】
また、本発明は、リンク付けされた画像のデータを複数画像を単位にネットワークを介して取得する第１の手段と、前記第１の手段で取得したデータをもとに１画像単位で画像を表示する第２の手段と、前記第２の手段で表示した画像のリンク先を指定する操作画面のデータを取得する第３の手段と、前記第３の手段で取得した操作画面のデータをもとに操作画面を表示する第４の手段と、前記第４の手段で表示した操作画面の操作に従う画像のリンク先を判定する第５の手段と、前記第５の手段で判定したリンク先が前記第１の手段で既に取得した画像のデータであるか否かを判定する第７の手段と、前記第７の手段で既に取得した画像のデータであることを判定した際に、当該判定結果を前記第２の手段に反映し、前記第７の手段で既に取得した画像のデータでないことを判定した際に、当該判定結果を前記第１の手段に反映して、前記第２の手段で表示される画像を切り替える第８の手段とを具備した端末装置を特徴とする。
【００１９】
【発明の実施の形態】
以下、図面を参照して本発明の実施形態を説明する。
【００２０】
図１は本発明の実施形態に於けるシステムの構成を示すブロック図であり、ここではサーバ１０と、クライアントとなる端末装置２０と、インターネットまたはイントラネット等のネットワーク３０とを有して構成される。サーバ１０には、端末装置２０に提供するＷｅｂページのデータが保存されている。端末装置２０には、後述する、リンク先への画像表示切り替えを行うスクリプトが設けられる。端末装置２０は、このスクリプトの処理を実行して、上記ネットワーク３０を介し、上記サーバ１０よりリンク先の画像データを取得して、リンク先のＷｅｂページ画像を表示する。
【００２１】
上記端末装置２０は、図２に示すように、演算装置２１、入力装置２２、メモリ２３、及び表示装置２４を有して構成される。
【００２２】
演算装置２１は、ＣＰＵを用いて実現され、後述するリンク先への画像表示切り替えを行うスクリプトの処理を含む、図５乃至図１２に示すような各種の処理を実行する。
【００２３】
入力装置２２は、キーボード、ポインティングデバイス等の入力デバイスにより実現され、ここではユーザの画面切り替え（リンク先指定）操作が行われた際に、その操作を検出して上記演算装置２１に通知する。
【００２４】
メモリ２３は、ＲＡＭ、またはＲＡＭとＲＯＭを用いて構成され、Ｗｅｂページの初期画面を構成する、操作画面データ及び画像データの取得処理（図５参照）、および当該取得データに従う初期画面の表示処理（図６参照）を実行するプログラム（Ｐ）を格納するとともに、リンク先への画像表示切り替え（図７乃至図１２参照）を行うスクリプト（ＳＣ）を格納する。
【００２５】
更に、上記メモリ２３は、上記操作画面データ及び画像データの取得処理、リンク先画像データの取得処理等で上記サーバ１０より取得したＷｅｂページのデータを記憶する。このＷｅｂページのデータは、画像データと、リンク先を指定する操作画面データとで構成され（図４参照）、各データ毎に個別にアクセスされる。即ち、メモリ２３は、図５に示すデータ取得処理で取得した初期の画像データ、及び後述するスクリプトの処理（図７乃至図１２参照）で取得したリンク先の画像データを記憶する画像データの記憶領域と、図５に示すデータの取得処理で取得した、リンク先を指定する操作画面のデータを記憶する記憶領域とを有して、その各記憶領域のデータをそれぞれ独立してアクセス可能にしている（図４参照）。
【００２６】
表示装置２４は、上記演算装置２１の制御の下に、Ｗｅｂページの初期及びリンク先の各画像データを１画像単位で表示するとともに、表示された画像のリンク先を指定する操作画面を表示する。
【００２７】
この表示装置２４に表示されるＷｅｂページの画像表示領域及び操作画面の構成例を図３に示す。この図３に示す画面構成では、Ｗｅｂページの画像を表示する画像表示領域３１の周囲に於いて、その各辺（左辺、右辺、上辺、下辺）に、それぞれ対応する方向へのリンク先を指定する画像切り替えボタン３２ａ，３２ｂ，３２ｃ，３２ｄが設けられる。この画像切り替えボタン３２ａ，３２ｂ，３２ｃ，３２ｄの操作で、例えばマップ画面等のＮ（横）×Ｍ（縦）画像で構成される仮想大画面について、任意方向のリンク先を指定することができる。
【００２８】
上記したＷｅｂページの画像データ及び操作画面のデータ構成例を図４に示す。上記図３に示した画像切り替えボタン３２ａ，３２ｂ，３２ｃ，３２ｄのデータ４０１と、その切り替え対象となる画像データ４０２とは、それぞれサーバ１０の記憶装置に格納されて、データ別にアクセスされ、端末装置２０のメモリ２３に記憶される。
【００２９】
上記切り替えボタンデータ４０１は、図３に示す画像切り替えボタン３２ａ，３２ｂ，３２ｃ，３２ｄの表示並びに機能を定義した切り替えボタンデータＡ，Ｂ，Ｃ，Ｄで構成され、端末装置２０からのＷｅｂページ表示要求に応じて、上記切り替えボタンデータ４０１を単位に、サーバ１０の記憶装置よりリードアクセスされ、ネットワーク３０を介して端末装置２０に転送される。
【００３０】
また、サーバ１０の記憶装置に格納されている画像データ４０２は、この実施形態で扱うＷｅｂページの一例として、横方向をＮ、縦方向をＭとした、Ｎ×Ｍの画像データ（１−１，１−２，…１−ｎ、２−１，２−２，…２−ｎ、…、ｍ−１，ｍ−２，…ｍ−ｎ）で構成され、第１実施形態（図７乃至図１０参照）では１画像単位、第２実施形態（図１１及び図１２参照）では複数画像を単位にアクセスされ、ネットワーク３０を介して端末装置２０に転送される。
【００３１】
演算装置２１は、例えば表示画面上のクリック操作により、Ｗｅｂページが選択されると、図５に示す初期画面データの取得処理を実行し、続いて図６に示す初期画面の表示処理を実行する。更に、演算装置２１は、上記図６に示す初期画面の表示処理で表示装置２４に表示された、図３に示す画像切り替えボタン３２ａ，３２ｂ，３２ｃ，３２ｄのいずれかが操作されると、メモリ２３に予め用意されたスクリプト（ＳＣ）に従い、第１実施形態では、図７乃至図１０に示すリンク先への画像表示切り替え処理を実行し、第２実施形態では、図１１及び図１２に示すリンク先への画像表示切り替え処理を実行する。尚、図７乃至図１２に示すフローチャートでは、図３に示す切り替えボタン３２ａをボタンＡ、同じく切り替えボタン３２ｂをボタンＢ、切り替えボタン３２ｃをボタンＣ、切り替えボタン３２ｄをボタンＤとして表記している。また、リンク付けされた画像の構成枚数（表示枚数）をＮ（横）×Ｍ（縦）、横方向の画像カウント値をｎ、縦方向の画像カウント値をｍで示している。
【００３２】
ここで上記各図を参照して本発明の実施形態に於けるＷｅｂページ表示処理動作を説明する。
【００３３】
先ず、図１乃至図１０を参照して本発明の第１実施形態に於けるＷｅｂページ表示処理動作を説明する。
【００３４】
サーバ１０の記憶装置には、Ｗｅｂページデータとして、図４に示すように、切り替えボタンデータ４０１と、画像データ４０２が格納されている。
【００３５】
サーバ１０は端末装置２０から送出された上記Ｗｅｂページの表示要求を受け付けると、上記切り替えボタンデータ４０１と、初期画面を構成する画像データ４０２（１−１）とをネットワーク３０経由で端末装置２０に転送する。
【００３６】
端末装置２０に於いて、演算装置２１は、メモリ２３に格納されたプログラム（Ｐ）に従い、図５に示す初期画面を構成する操作画面データ及び画像データの取得処理、および図６に示す初期画面の表示処理を実行する。
【００３７】
初期画面を構成する操作画面データ及び画像データの取得処理では、ネットワーク３０を介してサーバ１０から上記切り替えボタンデータ４０１と、初期画面を構成する画像データ４０２（１−１）とを受信し（図５ステップＳ１１〜Ｓ１３）、その受信した切り替えボタンデータ４０１と画像データ４０２（１−１）とをメモリ２３に書き込む（図５ステップＳ１４）。
【００３８】
初期画面の表示処理では、メモリ２３に記憶された切り替えボタンデータ４０１、および画像データ４０２（１−１）を読出し、表示装置２４に表示する（図６ステップＳ２１〜Ｓ２３）。
【００３９】
この際、表示装置２４に表示されるＷｅｂページの画像データ及び操作画面の構成例を図３に示している。この画面構成では、Ｗｅｂページの画像を表示する画像表示領域３１の周囲に於いて、その各辺（左辺、右辺、上辺、下辺）に、それぞれ対応する方向へのリンク先を指定する画像切り替えボタン３２ａ，３２ｂ，３２ｃ，３２ｄが設けられる。
【００４０】
ここで、画像切り替えボタン３２ａ，３２ｂ，３２ｃ，３２ｄのいずれかが操作（例えばクリック操作）されると、演算装置２１は、スクリプト（ＳＣ）に従うリンク先への画像表示切り替え処理を実行する。
【００４１】
画像切り替えボタン３２ａ（ボタンＡ）が操作された際は（図７ステップＳ３１）、画像表示領域３１に表示されている画像の左にリンクする画像が存在するか否かを判断する（図７ステップＳ３２）。
【００４２】
ここで、画像表示領域３１に表示されている画像の左にリンクする画像が存在しないときは（図７ステップＳ３２　ＹＥＳ）、その画像切り替えボタン３２ａ（ボタンＡ）の操作を無効とする。
【００４３】
また、画像表示領域３１に表示されている画像の左にリンクする画像が存在するときは（図７ステップＳ３２　ＮＯ）、横方向の画像カウント値（ｎ）を−１して（図７ステップＳ３３）、リンク先の画像データをサーバ１０より取得し（図７ステップＳ３４）、画像表示領域３１に表示される画像をリンク先の画像に切り替える（図７ステップＳ３５）。
【００４４】
また、画像切り替えボタン３２ｂ（ボタンＢ）が操作された際は（図８ステップＳ４１）、画像表示領域３１に表示されている画像の右にリンクする画像が存在するか否かを判断する（図８ステップＳ４２）。
【００４５】
ここで、画像表示領域３１に表示されている画像の右にリンクする画像が存在しないときは（図８ステップＳ４２　ＹＥＳ）、その画像切り替えボタン３２ｂ（ボタンＢ）の操作を無効とする。
【００４６】
また、画像表示領域３１に表示されている画像の右にリンクする画像が存在するときは（図８ステップＳ４２　ＮＯ）、横方向の画像カウント値（ｎ）を＋１して（図８ステップＳ４３）、リンク先の画像データをサーバ１０より取得し（図８ステップＳ４４）、画像表示領域３１に表示される画像をリンク先の画像に切り替える（図８ステップＳ４５）。
【００４７】
また、画像切り替えボタン３２ｃ（ボタンＣ）が操作された際は（図９ステップＳ５１）、画像表示領域３１に表示されている画像の上にリンクする画像が存在するか否かを判断する（図９ステップＳ５２　ＹＥＳ）。
【００４８】
ここで、画像表示領域３１に表示されている画像の上にリンクする画像が存在しないときは（図９ステップＳ５２　ＹＥＳ）、その画像切り替えボタン３２ｃ（ボタンＣ）の操作を無効とする。
【００４９】
また、画像表示領域３１に表示されている画像の上にリンクする画像が存在するときは（図９ステップＳ５２　ＮＯ）、縦方向の画像カウント値（ｍ）を−１して（図９ステップＳ５３）、リンク先の画像データをサーバ１０より取得し（図９ステップＳ５４）、画像表示領域３１に表示される画像をリンク先の画像に切り替える（図９ステップＳ５５）。
【００５０】
また、画像切り替えボタン３２ｄ（ボタンＤ）が操作された際は（図１０ステップＳ６１）、画像表示領域３１に表示されている画像の下にリンクする画像が存在するか否かを判断する（図１０ステップＳ６２）。
【００５１】
ここで、画像表示領域３１に表示されている画像の下にリンクする画像が存在しないときは（図１０ステップＳ６２　ＹＥＳ）、その画像切り替えボタン３２ｄ（ボタンＤ）の操作を無効とする。
【００５２】
また、画像表示領域３１に表示されている画像の下にリンクする画像が存在するときは（図１０ステップＳ６２　ＮＯ）、縦方向の画像カウント値（ｍ）を＋１して（図１０ステップＳ６３）、リンク先の画像データをサーバ１０より取得し（図１０ステップＳ６４）、画像表示領域３１に表示される画像をリンク先の画像に切り替える（図１０ステップＳ６５）。
【００５３】
このように、画像切り替えボタン３２ａ，３２ｂ，３２ｃ，３２ｄを操作することで、例えばマップ画面等のＮ（横）×Ｍ（縦）画面分の画像で構成される仮想大画面について、任意方向のリンク先を指定することができる。
【００５４】
上記したように本発明の第１実施形態に於いては、表示された画像のリンク先への切替え処理を実行するスクリプトを設けて、切替えボタンデータと画像データを別々に扱う構成としているため、Ｗｅｂページ全体のデータ容量を削減でき、Ｗｅｂページデータを効率よく転送できるとともに、Ｗｅｂページの表示処理を効率よく実行できる。また画像切り替えボタン３２ａ，３２ｂ，３２ｃ，３２ｄは、初期画面表示の際にサーバ１０から１回だけ読み込めばよく、その後のリンク先への切り替えは、画像切り替えボタン３２ａ，３２ｂ，３２ｃ，３２ｄが操作される度にサーバ１０から画像データのみを取得すればよいことから、Ｗｅｂページデータのネットワーク上に於ける転送効率を向上できる。
【００５５】
次に、図１乃至図６と、図１１および図１２を参照して本発明の第２実施形態に於けるＷｅｂページ表示処理動作を説明する。
【００５６】
上記した第１実施形態では、画像切り替えボタン３２ａ，３２ｂ，３２ｃ，３２ｄが操作される度にリンク付けされた画像のデータを画像表示領域３１に表示される１画面分の画像を単位にネットワーク３０を介してサーバ１０から取得するスクリプト処理であるのに対して、この第２実施形態では、サーバ１０から一度に複数画面分の画像データを取得し、メモリ２３に保持して、画像切り替えボタン３２ａ，３２ｂ，３２ｃ，３２ｄの操作で指定されたリンク先の画像データが既に取得されている（メモリ２３に保持されている）ときは、サーバ１０へ画像データ要求せず、既に取得したリンク先の画像データを画像表示領域３１に表示するスクリプト構成としている。これにより、Ｗｅｂページを表示する際のサーバ１０へのアクセス回数を減らして、Ｗｅｂページデータの転送効率をより向上させることができるとともに、リンク先への画像切り替えを効率よく高速に行うことができる。図１１および図１２に示すスクリプト処理では、サーバ１０から一度に、横方向（横移動幅）２画面分、若しくは縦方向（縦移動幅）２画面分の画像データを取得する処理例を示している。
【００５７】
この第２実施形態によるスクリプト処理に於いては、画像切り替えボタン３２ａ（ボタンＡ）が操作された際（図１１ステップＳ７１）、画像表示領域３１に表示されている画像の左にリンクする画像のデータが既に取得されているか否かを判断する（図１１ステップＳ７２）。
【００５８】
ここで、リンク先画像のデータが既に取得されているときは（図１１ステップＳ７２　ＮＯ）、その画像データをメモリ２３より読み出して、画像表示領域３１に表示される画像をリンク先の画像に切り替え（図１１ステップＳ７７，Ｓ７８）、横移動幅の画像カウント値（ｉｎ）を−１して（図１１ステップＳ７９）、上記画像切り替えボタン３２ａ（ボタンＡ）の操作に伴う画像切り替え処理を終了する。
【００５９】
また、上記リンク先画像のデータが、既に取得した画像データに含まれていない（メモリ２３内に存在しない）際は（図１１ステップＳ７２　ＹＥＳ）、画像表示領域３１に表示されている画像の左にリンクする画像が存在するか否かを判断する（図１１ステップＳ７３）。
【００６０】
ここで、画像表示領域３１に表示されている画像の左にリンクする画像が存在しないとき（図１１ステップＳ７３　ＹＥＳ）、その画像切り替えボタン３２ａ（ボタンＡ）の操作に伴う画像切り替え処理を終了する。
【００６１】
また、画像表示領域３１に表示されている画像の左に、リンクする画像が存在するときは（図１１ステップＳ７３　ＮＯ）、横方向の画像カウント値（ｎ）を−１して（図１１ステップＳ７４）、横方向２画面分の画像データ（若しくは最左端の１画面分の画像データ）を取得し（図１１ステップＳ７５）、横移動幅の画像カウント値（ｉｎ）を２（２画面分）に設定して（図１１ステップＳ７６）、その後、画像表示領域３１に表示される画像をリンク先の画像に切り替え（図１１ステップＳ７７，Ｓ７８）、横移動幅の画像カウント値（ｉｎ）を−１して（図１１ステップＳ７９）、上記画像切り替えボタン３２ａ（ボタンＡ）の操作に伴う画像切り替え処理を終了する。
【００６２】
また、画像切り替えボタン３２ｄ（ボタンＤ）が操作された際は（図１２ステップＳ８１）、画像表示領域３１に表示されている画像の下にリンクする画像のデータが既に取得されているか否かを判断する（図１２ステップＳ８２）。
【００６３】
ここで、リンク先画像のデータが既に取得されているときは（図１２ステップＳ８２　ＮＯ）、その画像データをメモリ２３より読み出して、画像表示領域３１に表示される画像をリンク先の画像に切り替え（図１２ステップＳ８７，Ｓ８８）、縦移動幅の画像カウント値（ｉｍ）を＋１して（図１２ステップＳ８９）、上記画像切り替えボタン３２ｄ（ボタンＤ）の操作に伴う画像切り替え処理を終了する。
【００６４】
また、上記リンク先画像のデータが、既に取得した画像データに含まれていない（メモリ２３内に存在しない）際は（図１２ステップＳ８２　ＹＥＳ）、画像表示領域３１に表示されている画像の下にリンクする画像が存在するか否かを判断する（図１２ステップＳ８３）。
【００６５】
ここで、画像表示領域３１に表示されている画像の下にリンクする画像が存在しないとき（図１２ステップＳ８３　ＹＥＳ）、その画像切り替えボタン３２ｄ（ボタンＤ）の操作に伴う画像切り替え処理を終了する。
【００６６】
また、画像表示領域３１に表示されている画像の下に、リンクする画像が存在するときは（図１２ステップＳ８３　ＮＯ）、縦方向の画像カウント値（ｍ）を＋１して（図１２ステップＳ８４）、縦方向２画面分の画像データ（若しくは最下端の１画面分の画像データ）を取得し（図１２ステップＳ８５）、縦移動幅の画像カウント値（ｉｍ）を２（２画面分）に設定して（図１２ステップＳ８６）、その後、画像表示領域３１に表示される画像をリンク先の画像に切り替え（図１２ステップＳ８７，Ｓ８８）、縦移動幅の画像カウント値（ｉｍ）を＋１して（図１２ステップＳ８９）、上記画像切り替えボタン３２ｄ（ボタンＤ）の操作に伴う画像切り替え処理を終了する。
【００６７】
尚、画像切り替えボタン３２ｂ（ボタンＢ）が操作された際の画像切り替え処理、および画像切り替えボタン３２ｃ（ボタンＣＢ）が操作された際の画像切り替え処理については、上記した第１実施形態と、上記した図１１及び図１２に示した各画像切り替え処理から容易に理解できるため、ここではその詳細な画像切り替え処理動作の説明を省略する。
【００６８】
この第２実施形態のスクリプト処理機能を備えることで、Ｗｅｂページを表示する際のサーバ１０へのアクセス回数を減らして、Ｗｅｂページデータの転送効率をより向上させることができるとともに、リンク先への画像切り替えを効率よく高速に行うことができる。
【００６９】
【発明の効果】
以上詳記したように本発明によれば、Ｗｅｂページのデータ転送並びに表示処理を効率よく実行することのできる、Ｗｅｂページ表示装置、Ｗｅｂページ画像表示方法、ネットワークシステム及び端末装置が提供できる。
【図面の簡単な説明】
【図１】本発明の第１及び第２実施形態に於けるシステムの構成を示すブロック図。
【図２】上記実施形態に於ける端末装置の構成を示すブロック図。
【図３】上記実施形態に於けるＷｅｂページの画像表示領域及び操作画面の構成例を示す図。
【図４】上記実施形態に於けるＷｅｂページの画像データ及び操作画面のデータの構成例を示す図。
【図５】上記実施形態に於ける初期画面データの取得処理手順を示すフローチャート。
【図６】上記実施形態に於ける初期画面の表示処理手順を示すフローチャート。
【図７】本発明の第１実施形態に於けるリンク先への画像表示切り替え処理手順を示すフローチャート。
【図８】本発明の第１実施形態に於けるリンク先への画像表示切り替え処理手順を示すフローチャート。
【図９】本発明の第１実施形態に於けるリンク先への画像表示切り替え処理手順を示すフローチャート。
【図１０】本発明の第１実施形態に於けるリンク先への画像表示切り替え処理手順を示すフローチャート。
【図１１】本発明の第２実施形態に於けるリンク先への画像表示切り替え処理手順を示すフローチャート。
【図１２】本発明の第２実施形態に於けるリンク先への画像表示切り替え処理手順を示すフローチャート。
【符号の説明】
１０…サーバ
２０…端末装置
２１…演算装置
２２…入力装置
２３…メモリ
２４…表示装置
Ｐ…Ｗｅｂページの初期画面のデータ取得処理および表示処理を実行するプログラム
ＳＣ…リンク先への画像表示切り替えを行うスクリプト
【図１】
2004062423.tif 000003
【図２】
2004062423.tif 000004
【図３】
2004062423.tif 000005
【図４】
2004062423.tif 000006
【図５】
2004062423.tif 000007
【図６】
2004062423.tif 000008
【図７】
2004062423.tif 000009
【図８】
2004062423.tif 000010
【図９】
2004062423.tif 000011
【図１０】
2004062423.tif 000012
【図１１】
2004062423.tif 000013
【図１２】
2004062423.tif 000014